(57)【特許請求の範囲】
【請求項１】
空間的に区画された複数のセルのそれぞれに含まれる複数種類の色物質の前記セル内での電気泳動が制御されることによって表示色が制御される電気泳動表示体であって、
前記複数のセルに含まれる第１のセル、第２のセル及び第３のセルのそれぞれは、加法混色又は減法混色の３原色のうちの異なる１色に対応する第１の色物質と、当該第１の色物質と補色関係にある第２の色物質とを有し、
前記第１のセルは前記第１の色物質による表示状態に制御されるとともに、前記第２及び第３のセルのそれぞれは前記第２の色物質による表示状態に制御され、
前記第１及び前記第２の色物質は、互いに正負反対極性に帯電した色粒子であり、
前記第１のセルと前記第２のセルと前記第３のセルのそれぞれの視認方向から視認される側には、可視光波長域の光線を透過する第１の電極と第２の電極とが設けられており、
前記第１のセルと前記第２のセルと前記第３のセルのそれぞれの視認方向から視認される側とは反対側には、前記第１の電極に対向する第３の電極と前記第２の電極に対向する第４の電極とが設けられており、
前記表示状態の制御は、前記第１の電極に正極性または負極性の電圧を印加し、前記第２の電極をグランドの状態とするとともに、前記第４の電極に前記第１の電極と正負反対極性の電圧を印加し、前記第３の電極をグランドの状態とした後、前記第２の電極に前記第１の電極と同じ極性の電圧を印加するとともに、前記第３の電極に前記第４の電極と同じ極性の電圧を印加するものであることを特徴とする、電気泳動表示体。
【請求項２】
前記第１、第２及び第３のセルのそれぞれは、白粒子又は白色溶媒をさらに有する、請求項１に記載の電気泳動表示体。
【請求項３】
前記白粒子は、無帯電か、あるいは前記第１及び第２の色物質の帯電量よりも少ない帯電量を有する、請求項２記載の電気泳動表示体。
【請求項４】
前記第１の色物質は第１の色を有する色粒子であり、前記第２の色物質は前記第１の色と異なる第２の色を有する着色溶媒である、請求項１記載の電気泳動表示体。
【請求項５】
前記第１、第２及び第３のセルのそれぞれは、白粒子をさらに有する、請求項４記載の電気泳動表示体。
【請求項６】
前記白粒子は、前記第１の色物質の帯電極性とは反対の極性に帯電している、請求項５に記載の電気泳動表示体。
【請求項７】
前記第１のセルが前記第１の色物質と前記第２の色物質とによる混色表示状態に制御される場合には、前記第２及び第３のセルのそれぞれが前記第２の色物質と前記第１の色物質とによる混色表示状態に制御される、請求項１〜６のいずれか１項に記載の電気泳動表示体。
【請求項８】
請求項１〜７のいずれか１項に記載の電気泳動表示体と、
前記表示状態の制御を行なう制御回路と、を備えた、
電気泳動表示装置。
【請求項９】
請求項８記載の電気泳動表示装置を備えた電子機器。
【請求項１０】
空間的に区画された複数のセルのそれぞれに含まれる複数種類の色物質の前記セル内での電気泳動が制御されることによって表示色が制御される電気泳動表示体であって、
前記複数のセルに含まれる第１のセル、第２のセル及び第３のセルのそれぞれは、加法混色又は減法混色の３原色のうちの異なる１色に対応する第１の色物質と、当該第１の色物質と補色関係にある第２の色物質とを有し、
前記第１のセルと前記第２のセルと前記第３のセルのそれぞれの視認方向から視認される側には、可視光波長域の光線を透過する第１の電極と第２の電極とが設けられており、
前記第１のセルと前記第２のセルと前記第３のセルのそれぞれの視認方向から視認される側とは反対側には、前記第１の電極に対向する第３の電極と前記第２の電極に対向する第４の電極とが設けられており、
前記第１のセルと前記第２のセルと前記第３のセルとにおいて、前記第３の電極と前記第４の電極をグランドの状態に維持しながら、前記第１の電極に正の電圧を印加するとともに前記第２の電極に負の電圧を印加した後、前記第１の電極と前記第２の電極の極性を入れ替えることによって、前記第１の色物質と前記第２の色物質を混色状態に制御して色表示を行うことを特徴とする電気泳動表示体。                                                                              
【発明の詳細な説明】
【技術分野】
【０００１】
本発明は、帯電した粒子の溶媒中の電気泳動を利用した表示技術に関する。
【背景技術】
【０００２】
溶媒（分散媒）に帯電した粒子を分散させた分散液に電界を与えると、粒子は、クーロン力により分散媒中を移動（泳動）する。この現象を電気泳動といい、当該電気泳動を利用して、画像等の所望の情報を表示する電気泳動表示装置（electrophoretic display：ＥＰＤ）が知られている。
【０００３】
ＥＰＤの構成例としては、例えば下記の特許文献１等に示されるように、一対の基板間を、隔壁により複数の閉空間（セル）に区画し、各セル内に、帯電した粒子（電気泳動粒子）及び分散媒を含む分散系を封入したものが知られている。
【先行技術文献】
【特許文献】
【０００４】
【特許文献１】特開２００４−４７７３号公報
【発明の概要】
【発明が解決しようとする課題】
【０００５】
ＥＰＤの１つセルは１つの画素（ピクセル）に対応させることができ、３つのセルに異なる３色（例えば赤、緑、青）をそれぞれ対応付けることで、フルカラー表示が可能となる。セルの構成例としては、（１）白粒子、黒粒子、及び色分散液を充填する場合、（２）白粒子、黒粒子、及び色粒子を充填する場合、（３）白粒子及び黒粒子を充填し、かつ、カラーフィルタを付属する場合等が挙げられる。
【０００６】
上記（１）及び（２）のセル構成では、赤を表示したい場合、赤を表示するピクセル以外の緑と青の２ピクセルはそれぞれ白又は黒の表示状態に制御される。つまり、３つのピクセルの表示状態は、（赤、白、白）、（赤、白、黒）、（赤、黒、黒）のいずれかになる。緑や青を表示する場合も、同様に、表示させたい目的の色（単色）以外の２ピクセルはそれぞれ白又は黒の表示状態に制御される。
【０００７】
つまり、原色系３色（赤、緑、青）のいずれか１色を表示するといっても、３色の色面積（３ピクセル）のすべてで目的の色を表示できるわけではない。３色（３ピクセル）の色面積の１／３、すなわち１ピクセルでしか目的の色を実際に表示できるに過ぎない。
【０００８】
本発明の目的の一つは、電気泳動表示装置の表示性能、例えば単色表示の効率、彩度を向上できるようにすることにある。
【０００９】
なお、当該目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００１０】
本発明の電気泳動表示体の一態様は、空間的に区画された複数のセルのそれぞれに含まれる複数種類の色物質の前記セル内での電気泳動が制御されることによって表示色が制御される電気泳動表示体であって、前記複数のセルに含まれる第１のセル、第２のセル及び第３のセルのそれぞれは、加法混色又は減法混色の３原色のうちの異なる１色に対応する第１の色物質と、当該第１の色物質と補色関係にある第２の色物質とを有する。ここで、前記第１のセルは前記第１の色物質による表示状態に制御されるとともに、前記第２及び第３のセルのそれぞれは前記第２の色物質による表示状態に制御されるようにしてもよい。
【００１１】
これにより、第２及び第３のセルは、第２の色物質による混色表示となり、第１のセルの第１の色物質による表示色を表示しているのと等価となる。その結果、第１の色物質に対応する１色を３つのセルで表現することが可能となる。
【００１２】
ここで、前記第１及び第２の色物質は、互いに正負反対極性に帯電した色粒子としてもよい。これにより、第１及び第２の色粒子のセルにおける偏在領域や電気泳動経路を個別的に制御することができる。
【００１３】
さらに、前記第１、第２及び第３のセルのそれぞれは、白粒子又は白色溶媒をさらに有していてもよい。これにより、３つのセルのすべてで白を表示することも可能となる。
【００１４】
なお、前記白粒子は、無帯電か、あるいは前記第１及び第２の色物質の帯電量よりも少ない帯電量を有していてもよい。これにより、色粒子の電気泳動制御に伴って相対的に白粒子又は白色溶媒のセル内の所在を制御することができる。
【００１５】
また、前記第１の色物質は第１の色を有する色粒子であり、前記第２の色物質は前記第１の色と異なる第２の色を有する着色溶媒である、こととしてもよい。このような構成によっても、第１の色物質に対応する１色を３つのセルで表現することが可能となる。
【００１６】
この場合、前記第１、第２及び第３のセルのそれぞれは、白粒子をさらに有していてもよい。これにより、３つのセルのすべてで白を表示することも可能となる。なお、前記白粒子は、前記第１の色物質の帯電極性とは反対の極性に帯電していてもよい。これにより、第１の色粒子及び白粒子のセルにおける偏在領域や電気泳動経路を個別的に制御することができる。
【００１７】
また、前記第１のセルが前記第１の色物質とともに前記第２の色物質による表示状態に制御される場合には、前記第２及び第３のセルのそれぞれが前記第２の色物質とともに前記第１の色物質による表示状態に制御されるようにしてもよい。これにより、３つのセルをそれぞれ第１及び第２の色物質による混色表示にすることが可能となる。
【００１８】
さらに、本発明の電気泳動表示装置の一態様は、上述した電気泳動表示体と、前記表示状態の制御を行なう制御回路と、を備える。これにより、第１の色物質に対応する１色を３つのセルで表現可能な電気泳動表示装置を実現できる。
【００１９】
また、本発明の電子機器の一態様は、当該電気泳動表示装置を備える。これにより、第１の色物質に対応する１色を３つのセルで表現可能な電子機器を実現できる。
【図面の簡単な説明】
【００２０】
【図１】一実施形態に係る電気泳動表示装置を模式的に示す分解斜視図である。
【図２】図１に例示する電気泳動表示装置の模式的部分断面図である。
【図３】図１及び図２に例示する電気泳動表示装置の電極形状及び配置の一例を示す平面図である。
【図４】図３に例示する１つのセルに対する電極形状及び配置の変形例を示す平面図である。
【図５】図３に例示する１つのセルに対する電極形状及び配置の他の変形例を示す平面図である。
【図６】（Ａ）〜（Ｃ）はそれぞれ１つのセルにおける色粒子の組み合わせ例を模式的に示す部分断面図である。
【図７】図３に例示する１つのセルに対する電極配置の一例を示す模式的部分断面図である。
【図８】図１及び図２に例示する電気泳動表示装置の３つのセルの表示状態を説明する模式的部分断面図である。
【図９】従来の３つのセルの表示状態を説明する模式的部分断面図である。
【図１０】図１及び図２に例示する電気泳動表示装置の３つのセルの電極配置及び電極極性制御の他の態様の一例として２電極構造で赤を表示する場合を示す模式的部分断面図である。
【図１１】図１及び図２に例示する電気泳動表示装置の３つのセルの電極配置及び電極極性制御の他の態様の一例として３電極構造で白を表示する場合を示す模式的部分断面図である。
【図１２】図１１に例示する３電極構造で赤を表示する場合を例示する模式的部分断面図である。
【図１３】図１１に例示する３電極構造でシアンを表示する場合を例示する模式的部分断面図である。
【図１４】図７に例示する電極配置（４電極構造）で黒を表示する場合を例示する模式的部分断面図である。
【図１５】図１４に例示する黒表示における電極極性制御の変形例を例示する模式的部分断面図である。
【図１６】図１及び図２に例示する電気泳動表示装置の３つのセルに補色粒子に代えて補色溶媒が含まれる場合に、３電極構造で白を表示する例を示す模式的部分断面図である。
【図１７】図１６に例示する３電極構造で赤を表示する例を示す模式的部分断面図である。
【図１８】図１６に例示する３電極構造でシアンを表示する例を示す模式的部分断面図である。
【図１９】図１６に例示する３電極構造で黒を表示する例を示す模式的部分断面図である。
【発明を実施するための形態】
【００２１】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２２】
〔１〕一実施形態
図１は、一実施形態に係る電気泳動表示装置１を模式的に示す分解斜視図、図２は、図１に例示する電気泳動表示装置１の模式的部分断面図、図３は、電気泳動表示装置１の電極形状及び配置の一例を示す平面図である。なお、図２中の矢印は、電気泳動表示装置１の観測者の視認方向を表わし、図３は、視認方向１００の平面視における平面図に相当している。
【００２３】
図１及び図２に示すように、本実施形態の電気泳動表示装置１は、例示的に、基板３と、基板３の一方の面において複数の隔壁３０によって空間的に区画された複数の凹部３１と、各凹部３１の開口部を塞ぐように各隔壁３０に接合された基板４とを備える。
【００２４】
隔壁３０は、例えば、基板３の一方の面に所定パターンの壁部（凸部）を形成することで得ることができる。このような凸部を形成する方法の一例としては、インクジェット法（液滴吐出法）、スクリーン印刷法、グラビア印刷法、ナノインプリント法等の印刷法、フォトリソグラフィー法等が挙げられる。他の例として、基板３上に凸部を成す材料の層を形成した後、この層を所定パターンに従って機械的、物理的又は化学的エッチング、あるいは、レーザ加工、型押し（エンボス）加工等の機械加工、ブラスト処理等することでも隔壁３０を形成することが可能である。
【００２５】
隔壁３０の材料としては、例示的に、エポキシ系樹脂、アクリル系樹脂、ウレタン系樹脂、メラミン系樹脂、フェノール系樹脂等の各種樹脂材料や、シリカ、アルミナ、チタニア等の各種セラミックス材料等が挙げられ、これらから選択された１種または２種以上を組み合わせて用いることができる。非限定的な一例としては、東京応化工業社製ＭＥＭＳ用永久フォトレジストTMMR  S2000を用いることができる。隔壁３０の基板３に垂直な方向の平均的な高さ、換言すれば、基板３及び４間の距離は、非限定的な一例として、１０〜５００μｍ程度に設定することができる。
【００２６】
凹部３１の内壁と基板４とで形成された閉空間６はセルと呼ばれ、セル６のそれぞれには、所定の溶媒（分散媒）に粒子５Ａ〜５Ｃを分散（懸濁）させた溶液（分散液）５が封入されている。粒子５Ａ〜５Ｃの分散媒への分散は、例えば、ペイントシェーカー法、ボールミル法、メディアミル法、超音波分散法、攪拌分散法等のうちの１種または２種以上を組み合わせて実施することができる。
【００２７】
１つのセル６は、１つの画素（ピクセル）に対応させることができ、例えば、フルカラー表示を行なう場合には、３つのセル６に異なる３色のいずれかを対応させることができる。異なる３色としては、加法混色の３原色（赤、緑、青）、あるいは当該３原色とそれぞれ補色の関係にある減法混色の３原色（シアン、マゼンタ、イエロー）を用いることができる。
【００２８】
視認方向１００の平面視におけるセル６の形状は、例示的に、三角形、四角形、六角形、円形、楕円形等の形状とすることができる。仮に、セル６の形状を六角形として、セルパターンをハニカム形状とすれば、表示部（電気泳動表示体２）としての機械的強度を向上できる。
【００２９】
また、基板３の他方の面側（視認方向１００とは反対側）には、１セルあたり２つの電極８１及び８２が設けられ、基板４の視認方向１００から視認される側には、１セルあたり２つの電極７１及び７２が設けられている。つまり、１つのセル６には、合計４つの電極７１，７２，８１及び８２が設けられている。
【００３０】
便宜的に、図２の視認方向１００から視認される第１及び第２の電極７１及び７２は「表面電極」、視認方向１００とは反対側の第３及び第４の電極８１及び８２は「裏面電極」とそれぞれ称することがある。表面電極７１及び７２は、第１の電極部７０を成し、裏面電極８１及び８２は、セル６を視認方向１００に挟んで第１の電極部７０と対向する第２の電極部８０を成している。
【００３１】
なお、上記の基板３、基板４、セル６、電極７１，７２，８１及び８２が、電気泳動表示装置１の表示部として機能する電気泳動表示体２を成す。電気泳動表示体２は、例示的に、ＥＰＤパネルやＥＰＤシートを含む概念である。
【００３２】
視認方向１００から視認される基板４、表面電極７１及び７２には、画素に相当するセル６内を視認できるように、可視光波長域の光線を透過する透明基板及び透明電極をそれぞれ用いることができる。
【００３３】
透明基板及び透明電極の材料としては、実質的に導電性を有するもので足りる。非限定的な一例としては、銅、アルミニウムまたはこれらを含む合金等の金属材料、カーボンブラック等の炭素系材料、ポリアセチレン、ポリピロール、またはこれらの誘導体等の電子導電性高分子材料、ポリビニルアルコール、ポリカーボネート、ポリエチレンオキシド等のマトリックス樹脂中に、ＮａＣｌ、ＬｉＣｌＯ4、ＫＣｌ、ＬｉＢｒ、ＬｉＮＯ3、ＬｉＳＣＮ等のイオン性物質を分散させたイオン導電性高分子材料、インジウム錫酸化物（ＩＴＯ）、フッ素ドープした錫酸化物（ＦＴＯ）、錫酸化物（ＳｎＯ2）、インジウム酸化物（ＩＯ）等の導電性酸化物材料のような各種導電性材料が挙げられ、これらのうちの１種または２種以上を組み合わせて用いることができる。透明電極の非限定的な実施例としては、東レ社製PET/ITOシートNXC1を用いることができる。なお、電極８１及び８２にも以上と同等の材料を用いることができる。
【００３４】
裏面電極８１及び８２は、回路基板９の一方の面に形成したものでもよい。回路基板９には、裏面電極８１及び８２のほか、例示的に、スイッチング素子として機能する薄膜トランジスタ（ＴＦＴ）や、電極７１，７２，８１及び８２に印加する電圧を制御する制御回路９１等を含む電気回路（図示省略）が設けられている。制御回路９１は、電極７１，７２，８１及び８２とそれぞれ電気的に接続されており、それぞれに印加する電圧の大きさ及び極性（正負）を個別に制御することができる。
【００３５】
基板３、基板４、及び隔壁３０は、それぞれ、例示的に、電気的な絶縁性とセル６内に封入された分散液の不透過性（保持性）とを有する。基板３、基板４、及び隔壁３０には、それぞれ、例えば、ガラス基板を用いてもよいし、可撓性を有するシート状部材を用いてもよい。基板３及び４に、可撓性を有するシート状部材を用いれば、例えば電子ペーパー等の変形自在な表示部を得ることができる。可撓性を有するシート状部材の材料としては、例えば、ポリオレフィン、液晶ポリマー、熱可塑性エラストマー等、またはこれらを主とする共重合体、ブレンド体、ポリマーアロイ等が挙げられ、これらのうちの１種または２種以上を混合して用いることができる。シート状部材の厚さは、ＥＰＤとしての柔軟性と強度との調和を図りつつ、適宜に設定可能であり、非限定的な一例として、２０〜５００μｍ程度とすることができる。
【００３６】
（電極形状及び配置）
基板４側の表面電極７１及び７２は、図３に例示するように、視認方向１００から見た平面視において、矩形のセル６の面積を２分割したときの各領域に対応して設けることができる。同様に、基板３側の裏面電極８１及び８２は、回路基板９側から見た平面視において、矩形のセル６の面積を２分割した時の各領域に対応して設けることができる。ただし、電極７１，７２，８１及び８２の面積（サイズ）は、一部又は全部が相互に同等であってもよいし異なっていてもよい。
【００３７】
なお、電極７１，７２，８１及び８２の形状及び配置は、図３に示す形状及び配置に限られない。例えば図４又は図５に示すような形状及び配置としてもよい。図４及び図５は、いずれも図３に対応する電気泳動表示装置１の模式的部分平面図である。
【００３８】
図４に示す例は、視認方向１００の平面視において、セル６の周縁領域に沿って環状に延在するように表面電極７１を設け、当該環状の表面電極７１に囲まれるセル６の中央領域に表面電極７２を設けた例である。基板３側の裏面電極８１及び８２も、例示的に、セル６を挟んで対向する表面電極７１及び７２と同等の形状及び配置とすることができる。すなわち、電気泳動表示体２を回路基板９側から見たときに、裏面電極８１は、セル６の周縁領域に沿って環状に延在するように設けることができ、裏面電極８２は、当該環状の電極８１に囲まれるセル６の中央領域に設けることができる。ただし、電極７１及び電極８１（電極７２及び電極８２）の形状及び配置は、同一でなくてもよい。
【００３９】
一方、図５に示す例は、視認方向１００の平面視において、矩形のセル６の対向する二辺側に、一定幅を有し各辺に沿って延在する帯状の表面電極７１を設け、当該電極７１に挟まれる領域に、一定幅を有し電極７１と並行に延在する帯状の表面電極７２を設けた例である。基板３側の裏面電極８１及び８２についても表面電極７１及び７２と同等の形状及び配置とすることができる。電極７２（８２）の幅（面積）は、図５中に例示するように電極７１（８１）の幅（面積）よりも大きく設定することができる。ただし、これに限定されない。
【００４０】
図３、図４及び図５のいずれの場合においても、表面電極７１及び７２間、並びに、裏面電極８１及び８２間は、それぞれ、互いに空間的に離間されて電気的に絶縁されており、各電極７１，７２，８１及び８２は、それぞれ、既述の制御回路９１から個別に（独立して）印加電圧の制御を受ける。電圧制御には、印加電圧の大きさ及び極性（正負）の制御が含まれる。
【００４１】
印加電圧の大きさを制御することで、図２に示すセル６内の電気泳動粒子の泳動速度を制御することができる。また、印加電圧の極性を制御することで、セル６内の電気泳動粒子を、視認側である基板４側に偏在させたり、逆に、視認側とは反対側である基板３側に偏在させたりすることができる。
【００４２】
さらに、図３、図４又は図５に例示する電極形状及び配置において、各電極７１，７２，８１及び８２に印加する電圧極性（正負）のパターンを制御することで、電気泳動粒子の極性（正又は負帯電）に応じて当該粒子の泳動経路をセル６内の異なる領域に偏らせることも可能となる。
【００４３】
（分散液）
次に、セル６に封入された分散液５について説明する。
【００４４】
図６に示すセル６には、所定の溶媒（分散媒）に電気泳動粒子（図２の例では５Ａ〜５Ｃ）を分散（懸濁）させた溶液（分散液）５が充填、封入されている。分散液５をセル６（凹部３１）内に充填する方法の一例としては、凹部３１を有する基板３を分散液５に漬す方法、ディスペンサを用いた滴下法、インクジェット法（液滴吐出法）、スピンコート法、ディップコート法、スプレーコート法等の各種塗布法が挙げられる。滴下法、またはインクジェット法を用いれば、分散液５を目的のセル６に対して選択的に供給することができる。したがって、セル６内に無駄なく、確実に分散液５を供給することができる。なお、セル６に対して分散液５を供給する方向は、必ずしも鉛直下方に限られない。側方又は鉛直上方でも供給可能である。
【００４５】
分散媒としては、例えば、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族復素環類、アセトニトリル等のニトリル類、Ｎ，Ｎ−ジメチルホルムアミド等のアミド類、カルボン酸塩またはその他の各種油類等が挙げられ、これらを単独または混合物として用いることができる。
【００４６】
中でも、分散媒としては、脂肪族炭化水素類（流動パラフィン）を主成分とするものが好ましい。流動パラフィンを主成分とする分散媒は、電気泳動粒子の凝集抑制効果が相対的に高く、かつ、セル６の構成材料との親和性（溶解性）が相対的に低いことから好ましい。これにより、ＥＰＤの表示性能が経時的に劣化することを防止または抑制することができる。また、流動パラフィンは、不飽和結合を有しないため耐候性に優れ、および安全性も高いという点からも好ましい。
【００４７】
また、分散媒中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加してもよい。
【００４８】
さらに、分散媒を着色する場合には、分散媒に、必要に応じて、アントラキノン系染料、アゾ系染料、インジゴイド系染料等の各種染料を溶解してもよい。
【００４９】
中でも、ディスペンサ等でセル６内に異なる分散液５を打ち分ける際には、Isopar M、Isopar G等の粘度の高い炭化水素溶媒が適している。
【００５０】
（電気泳動粒子）
分散液５中には、複数種の電気泳動粒子を含有させることができる。図２においては、５Ａ、５Ｂ及び５Ｃの３種類の粒子が分散液５中に含有されている様子を例示している。
【００５１】
上記の粒子５Ａ〜５Ｃとしては、例示的に、顔料粒子、樹脂粒子またはこれらの複合粒子のうちの少なくとも１種を用いることができる。
【００５２】
顔料粒子を組成する顔料としては、例えば、アニリンブラック、カーボンブラック等の黒色顔料、酸化チタン、酸化アンチモン等の白色顔料、モノアゾ、ジスアゾ、ポリアゾ等のアゾ系顔料、イソインドリノン、黄鉛、黄色酸化鉄等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００５３】
例えば、カーボンブラック、スピリットブラック、ランプブラック（Ｃ．Ｉ．Ｎｏ．７７２６６）、マグネタイト、チタンブラック、黄鉛、カドミウムイエロー、ミネラルファストイエロー、ネーブルイエロー、ナフトールイエローＳ、ハンザイエローＧ、パーマネントイエローＮＣＧ、クロムイエロー、ベンジジンイエロー、キノリンイエロー、タートラジンレーキ、赤口黄鉛、モリブデンオレンジ、パーマネントオレンジＧＴＲ、ピラゾロンオレンジ、ベンジジンオレンジＧ、カドミウムレッド、パーマネントレッド４Ｒ、ウオッチングレッドカルシウム塩、エオシンレーキ、ブリリアントカーミン３Ｂ、マンガン紫、ファストバイオレットＢ、メチルバイオレットレーキ、紺青、コバルトブルー、アルカリブルーレーキ、ビクトリアブルーレーキ、ファーストスカイブルー、インダンスレンブルーＢＣ、群青、アニリンブルー、フタロシアニンブルー、カルコオイルブルー、クロムグリーン、酸化クロム、ピグメントグリーンＢ、マラカイトグリーンレーキ、フタロシアニングリーン、ファイナルイエローグリーンＧ、ローダミン６Ｇ、キナクリドン、ローズベンガル（Ｃ．Ｉ．Ｎｏ．４５４３２）、Ｃ．Ｉ．ダイレクトレッド１、Ｃ．Ｉ．ダイレクトレッド４、Ｃ．Ｉ．アシッドレッド１、Ｃ．Ｉ．ベーシックレッド１、Ｃ．Ｉ．モーダントレッド３０、Ｃ．Ｉ．ピグメントレッド４８：１、Ｃ．Ｉ．ピグメントレッド５７：１、Ｃ．Ｉ．ピグメントレッド１２２、Ｃ．Ｉ．ピグメントレッド１８４、Ｃ．Ｉ．ダイレクトブルー１、Ｃ．Ｉ．ダイレクトブルー２、Ｃ．Ｉ．アシッドブルー９、Ｃ．Ｉ．アシッドブルー１５、Ｃ．Ｉ．ベーシックブルー３、Ｃ．Ｉ．ベーシックブルー５、Ｃ．Ｉ．モーダントブルー７、Ｃ．Ｉ．ピグメントブルー１５：１、Ｃ．Ｉ．ピグメントブルー１５：３、Ｃ．Ｉ．ピグメントブルー５：１、Ｃ．Ｉ．ダイレクトグリーン６、Ｃ．Ｉ．ベーシックグリーン４、Ｃ．Ｉ．ベーシックグリーン６、Ｃ．Ｉ．ピグメントイエロー１７、Ｃ．Ｉ．ピグメントイエロー９３、Ｃ．Ｉ．ピグメントイエロー９７、Ｃ．Ｉ．ピグメントイエロー１２、Ｃ．Ｉ．ピグメントイエロー１８０、Ｃ．Ｉ．ピグメントイエロー１６２、ニグロシン染料（Ｃ．Ｉ．Ｎｏ．５０４１５Ｂ）、金属錯塩染料、シリカ、酸化アルミニウム、マグネタイト、マグヘマイト、各種フェライト類、酸化第二銅、酸化ニッケル、酸化亜鉛、酸化ジルコニウム、酸化チタン、酸化マグネシウム等の金属酸化物や、Ｆｅ、Ｃｏ、Ｎｉのような磁性金属を含む磁性材料等が挙げられ、これらのうち１種または２種以上を組み合わせて用いることができる。
【００５４】
また、樹脂粒子を組成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。これらの粒子は、製造が容易であるとともに、荷電の制御を比較的容易に行うことができるという利点を有している。
【００５５】
顔料粒子の表面を他の顔料で被覆した粒子としては、例えば、酸化チタン粒子の表面を、酸化珪素や酸化アルミニウムで被覆したものを例示することができ、かかる粒子は、白粒子として用いることができる。また、カーボンブラック粒子またはその表面を被覆した粒子は、色粒子（黒色粒子）として用いることができる。
【００５６】
また、粒子５Ａ〜５Ｃの表面には、分散媒と相溶性の高い高分子を物理的に吸着させたり、化学的に結合させたりしてもよい。このようにすることで、粒子５Ａ〜５Ｃの分散液５中での分散性を向上させることができる。中でも、粒子表面からの離脱着の観点から、前記高分子は化学的に結合させるのが好ましい。かかる結合により、粒子５Ａ〜５Ｃの見かけの比重が小さくなる方向に作用して、粒子５Ａ〜５Ｃの分散媒における親和性、すなわち分散性を向上することができる。粒子５Ｃについては、帯電粒子５Ａ及び５Ｂと比較して、分散液５における分散性が優れていてもよい。この場合、粒子５Ｃ同士が凝集等して分散液５中で粒子５Ｃの沈降が生じることを防止できる。その結果、カラー表示状態での色むらの発生を防止することができ、色表示特性を向上することができる。
【００５７】
高分子の一例としては、例えば、電気泳動粒子と反応性を有する基と帯電性官能基を有する高分子、電気泳動粒子と反応性を有する基と長鎖アルキル鎖、長鎖エチレンオキシド鎖、長鎖フッ化アルキル鎖、長鎖ジメチルシリコーン鎖等を有する高分子、および、電気泳動粒子と反応性を有する基と帯電性官能基と長鎖アルキル鎖、長鎖エチレンオキシド鎖、長鎖フッ化アルキル鎖、長鎖ジメチルシリコーン鎖等を有する高分子等が挙げられる。
【００５８】
このような高分子において、粒子５Ａ〜５Ｃと反応性を有する基（反応性基）の一例としては、エポキシ基、チオエポキシ基、アルコキシシラン基、シラノール基、アルキルアミド基、アジリジン基、オキサゾン基、およびイソシアネート基等が挙げられ、これらのうちの１種または２種以上を、粒子５Ａ〜５Ｃの種類等に応じて適宜に選択することができる。
【００５９】
粒子５Ａ〜５Ｃの平均粒径は、例えば、可視光域において十分な隠蔽率（表示コントラスト）が得られる一方、粒子５Ａ〜５Ｃの沈降し易くなって表示品質が劣化しない範囲で、適宜に選ぶことができる。このような範囲を満たす粒子５Ａ〜５Ｃの平均粒径は、非限定的な一例として、０．１〜１０μｍ程度である。
【００６０】
さらに、粒子５Ａ及び５Ｂは、互いに正負反対の極性を有する荷電粒子とすることができる。例示的に、粒子５Ａは、正（＋）に帯電した正帯電粒子であり、粒子５Ｂは、負（−）に帯電した負帯電粒子である。
【００６１】
これに対して、１つの粒子５Ｃは、粒子５Ａ及び５Ｂの１つあたりの帯電量よりも十分に少ない帯電量の微弱帯電粒子か、あるいは実質的に極性を有さない無帯電粒子である。この場合、粒子５Ｃは、電極７１，７２，８１及び８２により印加される電界の影響を受けないか、あるいは受け難いため、分散液５中に平均的に分散する傾向にある。換言すれば、粒子５Ｃは、粒子５Ａ及び５Ｂの電気泳動制御に伴って相対的にセル内の所在を制御可能である。なお、粒子５Ｃが微弱帯電粒子である場合、その極性は粒子５Ａ及び５Ｂのいずれか一方と同じ極性とすることができる。
【００６２】
正帯電粒子５Ａは、正電荷を有する粒子であるから、４つの電極７１，７２，８１及び８２のうち、負の電圧が印加されている電極に吸着（付着）するように、当該電極に向かって泳動する。逆に、負帯電粒子５Ｂは、負電荷を有する粒子であるから、４つの電極７１，７２，８１及び８２のうち、正の電圧が印加されている電極に吸着するように、当該電極に向かって泳動する。
【００６３】
したがって、電極７１，７２，８１及び８２に印加する電圧極性のパターンを制御することで、帯電粒子５Ａ及び５Ｂを、それぞれ、セル６内において、４つの電極７１，７２，８１及び８２のうちのいずれかに対応する領域（空間）に偏在させることができる。
【００６４】
このようにして、電気泳動表示装置１は、視認方向１００から視認されるセル６内の色（以下、「表示色」ともいう。）を変更することが可能となる。また、前記電圧極性のパターンを制御することで、互いに正負反対極性に帯電した粒子５Ａ及び５Ｂのセル６内の泳動経路を個別に制御することも可能となる。したがって、表示色の切り替えの際に、帯電粒子５Ａ及び５Ｂを互いに異なる経路で基板３及び４間を泳動させることができ、互いの付着（カップリング）確率を低減することが可能である。
【００６５】
（色の組み合わせ）
１つのセル６内の粒子５Ａ〜５Ｃの色は、それぞれ異なる色とすることができる。粒子５Ａ〜５Ｃの色としては、それぞれ、例示的に、白色（Ｗ）、黒色またはこれらの中間色（灰色）などの無彩色や、赤（Ｒ）、緑（Ｇ）、青（Ｂ）の加法混色の３原色、シアン（Ｃｙ）、マゼンタ（Ｍａ）、イエロー（Ｙｅ）の減法混色の３原色等の有彩色のうちから、いずれかを任意に選択することができる。
【００６６】
例示的に、粒子５ＡをＲ、Ｇ及びＢのいずれか１色とするとともに、粒子５ＢをＲ、Ｇ及びＢの補色に相当するシアン（Ｃｙ）、マゼンタ（Ｍａ）及びイエロー（Ｙｅ）のいずれか１色とする組み合わせが可能である。あるいは、逆に、粒子５Ａをシアン（Ｃｙ）、マゼンタ（Ｍａ）及びイエロー（Ｙｅ）のいずれか１色とするとともに、粒子５ＢをＲ、Ｇ及びＢのいずれか１色とする組み合わせも可能である。
【００６７】
換言すれば、セル６（分散液５）は、「白粒子５Ｃ＋色粒子５Ａ＋色粒子５Ａの補色粒子５Ｂ＋無色溶媒」の組み合わせで構成することができる。なお、色粒子５Ａは、加法混色の３原色のうちの１色に対応する第１の色物質の一例であり、粒子５Ｂは、当該第１の色物質と補色関係にある第２の色物質の一例である。
【００６８】
例えば、第１のセル６において、「色粒子５Ａ」を赤（Ｒ）粒子とすれば、赤粒子の補色粒子はシアン（Ｃｙ）粒子であるから、第１のセル６には、白（Ｗ）粒子、赤粒子、シアン粒子及び無色溶媒を含む分散液５が封入される。また、別の第２のセル６において、「色粒子５Ａ」を緑（Ｇ）とすれば、緑粒子の補色はマゼンタ（Ｍａ）粒子であるから、第２のセル６には、白粒子、緑粒子、マゼンタ粒子及び無色溶媒を含む分散液５が封入される。同様に、さらに別の第３のセル６において、「色粒子５Ａ」を青（Ｂ）粒子とすれば、青粒子の補色粒子はイエロー（Ｙｅ）粒子であるから、第３のセル６には、白粒子、青粒子、イエロー粒子及び無色溶媒を含む分散液５が封入される。なお、「色物質」とは、該当色の色付き粒子以外に、後述する変形例に示すように該当色の着色溶媒を含む概念として用いている。
【００６９】
以上をまとめると、セル６における分散液５としては、図６（Ａ）〜図６（Ｃ）及び下記の表１に例示するように、３種類の構成（組み合わせ）＃１〜＃３のいずれかを選ぶことができる。これらの３種類の構成＃１〜＃３のセル６において視認方向１００から視認される粒子５Ａ〜５Ｃの色の組み合わせが制御されることで、電気泳動表示体２においてフルカラー表示を行なうことができる。
【表１】
0005471497.tif 000002
【００７０】
ここで、或る構成＃ｉ（ｉ＝１〜３のいずれか）のセル６を原色系（赤、緑又は青）の色粒子５Ａによる単色表示とし、残り２つの構成＃ｊ（ｊ＝１〜３でｊ≠ｉ）のセル６をそれぞれ当該色粒子５Ａの補色とは異なる補色系（シアン、マゼンタ又はイエロー）の２色の色粒子５Ｂによる単色表示とする。あるいは、或る構成＃ｉのセル６を補色系（シアン、マゼンタ又はイエロー）の色粒子５Ｂによる単色表示とし、残り２つの構成＃ｊのセル６をそれぞれ原色系（赤、緑又は青）の２色の色粒子５Ａによる単色表示とする。
【００７１】
いずれの場合も、構成＃ｊの２セル（２ピクセル）分の表示色は、混色効果により、構成＃ｉの１つのセル６で表示している原色系あるいは補色系の１色を表示しているのと等価である。したがって、３ピクセルで加法混色の３原色（赤、緑及び青）あるいは減法混色の３原色（シアン、マゼンタ及びイエロー）の１色を表示できる。
【００７２】
一例を挙げると、図８の（Ａ）〜（Ｃ）に模式的に示すように、構成＃１のセル６を赤粒子５Ａによる赤表示に制御するとともに、構成＃２のセル６をマゼンタ粒子５Ｂによるマゼンタ表示に制御し、かつ、構成＃３のセル６をイエロー粒子５Ｂによるイエロー表示に制御する。このとき、マゼンタとイエローとの混色は、視認方向１００から観察した場合に混色により赤を表示しているのと等価である。
【００７３】
したがって、３つのセル６、すなわち３ピクセル分の色面積を使って赤を表示することができる。他の色についても同様に、３ピクセル分の色面積を使って目的の色を表示することが可能である。次表２に、単色の表示色として白（Ｗ）、赤（Ｒ）、緑（Ｇ）、青（Ｂ）、シアン（Ｃｙ）、マゼンタ（Ｍａ）、イエロー（Ｙｅ）及び黒（Ｋ）の８色のいずれかを表示する場合の３つのセル６（＃１〜＃３）の表示色の組み合わせ例を示す。
【表２】
0005471497.tif 000003
【００７４】
なお、表２における比較例は、３つのセルに、（Ｒ、Ｗ、Ｋ）、（Ｇ、Ｗ、Ｋ）、（Ｂ、Ｗ、Ｋ）の組み合わせでそれぞれ色粒子が含有されており、当該３つのセルを用いて同じ８色のいずれかを表示する場合の個々のセルの表示色の組み合わせを示している。
【００７５】
比較例では、Ｒ、Ｇ及びＢのいずれか１色を表示する場合、３つのセル＃１〜＃３のうち、いずれか１つが目的の表示色であるＲ、Ｇ又はＢを表示し、他の２つが無彩色（Ｗ又はＫ）表示となる。したがって、目的の表示色を実際に表示しているピクセルの面積率は１／３である。図９の（Ａ）〜（Ｃ）に、その一例として比較例において赤を表示する場合の３つのセルの表示状態を模式的に示す。図９では、２つのセルが黒表示となっており、１つのセルでしか赤を表示できていない。
【００７６】
これに対し、本例の場合は、１つのセル６で或る色粒子による表示を行なうとともに、２つのセル６で当該色粒子と補色関係にある色粒子とは異なる２色の色粒子による表示をそれぞれ行なう。したがって、目的の表示色（赤、緑、青、シアン、マゼンタ、イエロー）を表示しているピクセルの面積率は１００％とすることができ、単色表示の効率、彩度を向上することができる。
【００７７】
なお、白表示を行なう場合は、３つのセル＃１〜＃３のいずれも白粒子による白表示とすればよい。３ピクセル分のセル６のいずれも白粒子による白表示が可能なので、白表示の反射率が低下することを最小限に抑制することができ、より明度の高い白らしい白（理想的には純白）を表現することができる。
【００７８】
また、黒表示を行なう場合は、３つのセル＃１〜＃３のいずれも、Ｒ、Ｇ及びＢのいずれか１色の色粒子と、シアン、マゼンタ及びイエローのいずれか１色の色粒子とを同時に表示する状態とすればよい。換言すれば、第１のセル＃１を、色粒子５Ａとともに色粒子５Ｂによる表示状態に制御する場合には、第２及び第３のセル＃２及び＃３のそれぞれを、色粒子５Ｂとともに色粒子５Ａによる表示状態に制御する。
【００７９】
この場合、３つのセル６がいずれも色粒子５Ａ及び５Ｂによる混色表示となり、Ｒ、Ｇ、Ｂ、シアン、マゼンタ及びイエローの合計６色の混色により黒が表現される。したがって、Ｒ、Ｇ及びＢの３色、あるいはシアン、マゼンタ及びイエローの３色の混色で黒を表示する場合よりも、黒表示の吸収率を向上することができ、より明度の低い黒らしい黒を表現することができる。
【００８０】
（電圧極性パターン）
以上のような３つのセル６の表示色制御は、１つのセル６に設けられた４つの電極７１，７２，８１及び８２に印加する電圧の極性を個別に制御する、換言すれば、電圧極性のパターンを制御することで実現できる。下記の表３に、前記８色のいずれかを３つのセル＃１〜＃３を用いて表示する場合に、各電極７１，７２，８１及び８２に印加する電圧極性のパターンの一例を示す。
【表３】
0005471497.tif 000004
【００８１】
ただし、色粒子５Ａ及び５Ｂのセル６における偏在領域や電気泳動経路を個別的に制御可能なように、色粒子５Ａ及び５Ｂは互いに正負反対極性に帯電している。例示的に、Ｒ，Ｇ及びＢのいずれか１色である色粒子５Ａは正、シアン、マゼンタ及びイエローのいずれか１色である補色粒子５Ｂは負にそれぞれ帯電しているものと仮定する。また、図７に模式的に示すように、電極７１，７２，８１及び８２を表３ではそれぞれＸ１，Ｘ２，Ｘ３及びＸ４で表わしている。ここで、電極Ｘ１及びＸ３のペアは、正極性（＋）又はグランド（ｇ）の２状態をとることができ、電極Ｘ２及びＸ４のペアは、負極性（−）又はグランド（ｇ）の２状態をとることができるものとしている。
【００８２】
既述の図２に示す制御回路９１は、表３に例示する電圧極性パターンに基づいて個々の電極Ｘ１，Ｘ２，Ｘ３及びＸ４の極性を制御することで、既述のように各単色表示の効率、彩度を向上することができる。既述の電圧極性パターンの情報はテーブル形式のデータ等として制御回路９１内のメモリ（図示省略）に記憶しておくことができる。
【００８３】
例示的に、３つのセル＃１、＃２及び＃３で黒（Ｋ）を表示する場合、制御回路９１は、図１４の模式的部分断面図に例示するように、セル＃ｉのそれぞれについて、表面電極Ｘ１及びＸ２を互いに反対極性に制御する一方、裏面電極Ｘ３及びＸ４をそれぞれグランド状態に制御する。これにより、セル＃１ではＣｙ粒子とＲ粒子、セル＃２ではＭａ粒子とＧ粒子、セル＃３ではＹｅ粒子とＢ粒子のそれぞれ２粒子が、表面電極Ｘ１及びＸ２側へ引き寄せられる。その結果、セル＃１、＃２及び＃３のそれぞれにおいて、白粒子が相対的に裏面電極Ｘ３及びＸ４側へ偏在する。したがって、既述のとおり、Ｒ、Ｇ及びＢの３色、あるいはシアン、マゼンタ及びイエローの３色の混色で黒を表示する場合よりも、黒表示の吸収率を向上することができ、より明度の低い黒らしい黒を表現することができる。
【００８４】
なお、表３に示す電圧極性パターンはあくまでも一例であり、表２に例示した表示色の組み合わせが可能であれば、適宜に変更してよい。例示的に、制御回路９１は、或るタイミングＴ１（Ｔ１は正の実数）において、電極Ｘ１及びＸ２（又は電極Ｘ３及びＸ４）の一方が正極性又は負極性であり、かつ、他方がグランドの状態から、その後のタイミングＴ２（＞Ｔ１）において、グランド状態にある電極を正極性又は負極性に制御してもよい。換言すれば、各電極Ｘ１及びＸ２（又は電極Ｘ３及びＸ４）の一方のみを正又は負極性に制御した後、双方を正又は負の同じ極性に制御してもよい。これにより、色粒子５Ａ又は５Ｂをいったん負又は正極性の電極近傍に偏在させた後、各電極Ｘ１及びＸ２（又は電極Ｘ３及びＸ４）近傍に分散させる制御が可能となる。
【００８５】
また、制御回路９１は、各電極Ｘ１〜Ｘ４に印加する電圧の極性及び／又は大きさを制御することで、セル６内における色粒子５Ａ又は５Ｂと視認側である基板４（図２参照）との間の距離を制御することも可能である。当該制御によって電気泳動表示装置１（電気泳動表示体２）は中間色を表示することも可能となる。
【００８６】
また、図１４に例示したように３つのセル＃ｉで黒を表示する場合、制御回路９１は、表面電極Ｘ１及びＸ２の極性を互いに反対極性に制御した後、当該表面電極Ｘ１及びＸ２の極性を所定時間内に少なくとも１回入れ替えてもよい。当該極性入れ替えを行なうことで、セル＃ｉの視認側近傍に交番電界が発生し、例えば図１５の模式的部分断面図に示すように、視認側である表面電極Ｘ１及びＸ２近傍に引き寄せられた色粒子５Ａ及び５Ｂを混合することができる。その結果、色粒子５Ａ及び５Ｂが局所的に偏在することを解消あるいは軽減することができ、黒表示の反射率を低減して黒表示の彩度を小さくすることができる。したがって、より黒らしい黒を表現することが可能となる。
【００８７】
〔２〕変形例
（２．１）分散液５の他の構成
上述した実施形態においては、分散液５の構成例として「白粒子５Ｃ＋色粒子５Ａ＋色粒子５Ａの補色粒子５Ｂ＋無色溶媒」を例に挙げて説明したが、分散液５の構成例は、「白粒子５Ｃ＋色粒子５Ａ＋色粒子５Ａの補色溶媒」の組み合わせ、あるいは「白色溶媒＋色粒子５Ａ＋色粒子５Ａの補色粒子５Ｂ」の組み合わせとしてもよい。
【００８８】
換言すれば、１つのセル６において実現すべき、原色系３色（Ｒ、Ｇ、Ｂ）、補色系３色（シアン、マゼンタ、イエロー）及び白色のいずれか１色は、「色物質」の一例としての既述の色粒子で実現してもよいし、「色物質」の他の一例としての着色溶媒で実現してもよい。
【００８９】
「白粒子５Ｃ＋色粒子５Ａ＋色粒子５Ａの補色溶媒」の組み合わせの場合、白粒子５Ｃと色粒子５Ａとを互いに正負反対極性に帯電させておくとよい。これにより、電圧極性パターンを適当に制御することで、白粒子５Ｃ及び色粒子５Ａの電気泳動を個別的に制御して、既述の３つのセル６の表示色の組み合わせを実現することができる。
【００９０】
また、「白色溶媒＋色粒子５Ａ＋色粒子５Ａの補色粒子５Ｂ」の組み合わせの場合には、色粒子５Ａ及び５Ｂを互いに正負反対極性の粒子とし、白色溶媒を無帯電（無極性）か微弱帯電の溶媒とするとよい。これにより、既述の電圧極性パターンの制御と同等の制御を適用できる。したがって、正負反対極性に帯電した色粒子５Ａ及び５Ｂの電気泳動を個別的に制御して、既述の３つのセル６の表示色の組み合わせを実現することができる。
【００９１】
（２．２）電極配置及び電極極性制御の他の態様
上述した実施形態においては、１つのセル６について４つの電極７１，７２，８１及び８２を設けた例を示したが、１つのセル６に２つ又は３つの電極を設ければ足りる場合もある。
【００９２】
（２．２．１）２電極構造
例えば、１つのセル６につき表面電極及び裏面電極をそれぞれ１つずつ配置すれば（以下、当該配置を２電極構造ともいう）、第１の色物質（例えば、色粒子５Ａ）及び第２の色物質（例えば、補色粒子５Ｂ）のいずれか一方による表示色に個々のセル６を制御できる。
【００９３】
２電極構造の一例を図１０の模式的部分断面図に示す。図１０は、＃１，＃２及び＃３を付して示す３つのセル６のそれぞれに１つの表面電極７３と１つの裏面電極８３とが設けられた様子を例示している。
【００９４】
セル＃１は赤（Ｒ）とシアン（Ｃｙ）の２粒子、セル＃２はＧとＭａの２粒子、セル＃３はＢとＹｅの２粒子をそれぞれ有している。また、Ｒ、Ｇ及びＢの３粒子とＣｙ、Ｍａ及びＧの３粒子とは互いに反対極性に帯電している。すなわち、Ｒ、Ｇ及びＢの３粒子がそれぞれ負に帯電していれば、Ｃｙ、Ｍａ及びＧの３粒子は正に帯電しており、その逆の関係も成立する。
【００９５】
表面電極７３及び裏面電極８３それぞれの極性（正負）は、既述の制御回路９１によって個別に制御可能である。下記の表４に、赤（Ｒ）、緑（Ｇ）、青（Ｂ）、シアン（Ｃｙ）、マゼンタ（Ｍａ）、イエロー（Ｙｅ）及び黒（Ｋ）のいずれかを３つのセル＃１〜＃３を用いて表示する場合に、制御回路９１によって表面電極７３（Ｘ１）及び裏面電極８３（Ｘ３）に印加する電圧極性のパターンの一例を示す。
【００９６】
【表４】
0005471497.tif 000005
【００９７】
ただし、非限定的な一例として、Ｒ，Ｇ及びＢのいずれか１色である色粒子５Ａは正極性、シアン、マゼンタ及びイエローのいずれか１色である補色粒子５Ｂは負極性にそれぞれ帯電しているものと仮定する。色粒子５Ａ及び補色粒子５Ｂ（以下、符号５Ａ及び５Ｂは省略することがある。）の帯電極性が正負逆転する場合は、表４に例示する電極極性の正負を逆転させればよい。図１０に括弧付きで示す正負の極性は、このことを表現しており、以降で用いる図１１〜図１４及び図１６〜図１９においても同様の意味を表わしている。
【００９８】
３つのセル＃１、＃２及び＃３で赤（Ｒ）を表示する場合に着目すると、図１０の模式的部分断面図に例示するように、制御回路９１は、セル＃１について、表面電極Ｘ１の極性をＲ粒子の帯電極性（＋）とは反対極性（−）に制御するとともに、裏面電極Ｘ３の極性をＣｙ粒子の帯電極性（−）とは反対極性（＋）に制御する。
【００９９】
また、セル＃２について、制御回路９１は、表面電極Ｘ１の極性をＭａ粒子の帯電極性（−）とは反対極性（＋）に制御するとともに、裏面電極Ｘ３の極性をＧ粒子の帯電極性（＋）とは反対極性（−）に制御する。
【０１００】
また、セル＃３について、制御回路９１は、表面電極Ｘ１の極性をＹｅ粒子の帯電極性（−）とは反対極性（＋）に制御するとともに、裏面電極Ｘ３の極性をＢ粒子の帯電極性（＋）とは反対極性（−）に制御する。
【０１０１】
以上の極性制御により、セル＃１では正帯電のＲ粒子、セル＃２では負帯電のＭａ粒子、セル＃３では負帯電のＹｅ粒子が、それぞれ反対極性の表面電極Ｘ１側へ引き寄せられる一方、セル＃１、＃２及び＃３のそれぞれにおいてＲ、Ｍａ及びＹｅの各粒子と反対極性に帯電し、かつ、補色関係にある粒子がそれぞれ裏面電極Ｘ３側へ引き寄せられる。
【０１０２】
したがって、セル＃１は、Ｒ粒子による赤を表示し、セル＃２及び＃３は、当該Ｒ粒子と補色関係にあるＣｙ粒子とは異なる２色のＭａ粒子及びＹｅ粒子による混色表示（赤表示と等価）となる。その結果として、３つのセル＃１、＃２及び＃３全体で赤が表示される。
【０１０３】
なお、３つのセル＃ｉで黒（Ｋ）を表示する場合、制御回路９１は、ＲＧＢの組み合わせ及びＣｙ、Ｍａ及びＹｅの組み合わせの一方による混色表示となるよう、表面電極Ｘ１及び裏面電極Ｘ３の極性を制御すればよい。また、目的の表示色に対して相対的に非表示の状態となる色粒子は、必ずしも裏面電極Ｘ３の極性を帯電極性とは反対極性に制御して当該裏面電極Ｘ３側へ積極的に引き寄せなくても構わない。目的の表示色に対応する色粒子が表面電極Ｘ１側に引き寄せられて偏在する結果として補色粒子が相対的に非表示となる領域（例えば裏面電極Ｘ３側）へ偏在させることができれば、裏面電極Ｘ３の一部又は全部の極性をグランド状態（無極性）に制御しても構わない。
【０１０４】
（２．２．２）３電極構造
図１１の模式的部分断面図に例示するように、図１０に例示したセル＃１、＃２及び＃３のそれぞれに白（Ｗ）粒子５Ｃ（あるいは「白色溶媒」でもよい。）がさらに含まれる場合、１つのセル６につき、１つの表面電極７３と２つの裏面電極８１及び８２との計３つの電極を設ける。各電極７３、８１及び８２の極性を制御回路９１によって個別的に制御することで、白表示を含む各色（８色）の表示が可能となる。下記の表５に、制御回路９１によって表面電極７３（Ｘ１）、裏面電極８１（Ｘ３）及び８２（Ｘ４）に印加する電圧極性のパターンの一例を示す。
【０１０５】
【表５】
0005471497.tif 000006
【０１０６】
ただし、この場合も、非限定的な一例として、Ｒ，Ｇ及びＢのいずれか１色である色粒子５Ａは正、シアン、マゼンタ及びイエローのいずれか１色である補色粒子５Ｂは負にそれぞれ帯電しているものと仮定する。色粒子５Ａ及び補色粒子５Ｂの帯電極性が正負逆転する場合は、表５に例示する電極極性の正負を逆転させればよい。
【０１０７】
以下、３つのセル＃１、＃２及び＃３で白（Ｗ）、赤（Ｒ）、シアン（Ｃｙ）を表示する場合の電極極性制御を一例として説明する。
【０１０８】
（白表示）
３つのセル＃１、＃２及び＃３で白（Ｗ）を表示する場合、図１１の模式的部分断面図に例示するように、制御回路９１は、セル＃１、＃２及び＃３それぞれの表面電極Ｘ１の極性をグランド状態（無極性）に制御する一方、セル＃１、＃２及び＃３それぞれの裏面電極Ｘ３及びＸ４の極性を互いに正負反対極性に制御する。なお、裏面電極Ｘ３及びＸ４のいずれを正又は負に制御するかは、セル＃１〜＃３毎に同じでもよいし異なっていてもよい。
【０１０９】
これにより、各セル＃１、＃２及び＃３において、正又は負に帯電している色粒子５Ａ及び５Ｂは、裏面電極Ｘ３及びＸ４側にそれぞれ引き寄せられ、相対的に白粒子５Ｃが表面電極Ｘ１側へ偏在する。したがって、３つのセル＃１、＃２及び＃３がそれぞれ白表示となる。
【０１１０】
（赤表示）
３つのセル＃１、＃２及び＃３で赤（Ｒ）を表示する場合、図１２の模式的部分断面図に例示するように、制御回路９１は、セル＃１について、表面電極Ｘ１の極性をＲ粒子の帯電極性（＋）とは反対極性（−）に制御するとともに、一方の裏面電極Ｘ３（又はＸ４）の極性をグランド状態、他方の裏面電極Ｘ４（又はＸ３）の極性をＣｙ粒子の帯電極性（−）とは反対極性（＋）にそれぞれ制御する。
【０１１１】
また、セル＃２について、制御回路９１は、表面電極Ｘ１の極性をＭａ粒子の帯電極性（−）とは反対極性（＋）に制御するとともに、一方の裏面電極Ｘ３（又はＸ４）の極性をグランド状態、他方の裏面電極Ｘ４（又はＸ３）の極性をＧ粒子の帯電極性（＋）とは反対極性（−）に制御する。
【０１１２】
また、セル＃３について、制御回路９１は、表面電極Ｘ１の極性をＹｅ粒子の帯電極性（−）とは反対極性（＋）に制御するとともに、一方の裏面電極Ｘ３（又はＸ４）の極性をグランド状態、他方の裏面電極Ｘ４（又はＸ３）の極性をＢ粒子の帯電極性（＋）とは反対極性（−）に制御する。
【０１１３】
以上の極性制御により、セル＃１では正帯電のＲ粒子、セル＃２では負帯電のＭａ粒子、セル＃３では負帯電のＹｅ粒子が、それぞれ視認側である表面電極Ｘ１側へ引き寄せられる一方、セル＃１、＃２及び＃３のそれぞれにおいてＲ、Ｍａ及びＹｅの各粒子と反対極性に帯電し、かつ、補色関係にある粒子が、それぞれ裏面電極Ｘ４側へ引き寄せられる。その結果、各セル＃１、＃２及び＃３において、白粒子５Ｃは、相対的にもう１つの裏面電極Ｘ３（又はＸ４）近傍に偏在させることができる。
【０１１４】
したがって、セル＃１は、Ｒ粒子による赤を表示し、セル＃２及び＃３は、当該Ｒ粒子と補色関係にあるＣｙ粒子とは異なる２色のＭａ粒子及びＹｅ粒子による混色表示（赤表示と等価）となり、３つのセル＃１、＃２及び＃３全体で赤が表示される。
【０１１５】
（シアン表示）
３つのセル＃１、＃２及び＃３でシアン（Ｃｙ）を表示する場合、図１３の模式的部分断面図に例示するように、制御回路９１は、セル＃１について、表面電極Ｘ１の極性をＣｙ粒子の帯電極性（−）とは反対極性（＋）に制御するとともに、一方の裏面電極Ｘ３（又はＸ４）の極性をグランド状態、他方の裏面電極Ｘ４（又はＸ３）の極性をＲ粒子の帯電極性（＋）とは反対極性（−）にそれぞれ制御する。
【０１１６】
また、セル＃２について、制御回路９１は、表面電極Ｘ１の極性をＧ粒子の帯電極性と（＋）は反対極性に制御するとともに、一方の裏面電極Ｘ３（又はＸ４）の極性をグランド状態、他方の裏面電極Ｘ４（Ｘ３）の極性をＭａ粒子の帯電極性（−）とは反対極性（＋）に制御する。
【０１１７】
また、セル＃３について、制御回路９１は、表面電極Ｘ１の極性をＢ粒子の帯電極性（＋）とは反対極性に制御するとともに、一方の裏面電極Ｘ３（又はＸ４）の極性をグランド状態、他方の裏面電極Ｘ４（又はＸ３）の極性をＹｅ粒子の帯電極性（−）とは反対極性（＋）に制御する。
【０１１８】
以上の極性制御により、セル＃１では負帯電のＣｙ粒子、セル＃２では正帯電のＧ粒子、セル＃３では正帯電のＢ粒子が、それぞれ反対極性の表面電極Ｘ１側へ引き寄せられる一方、セル＃１、＃２及び＃３のそれぞれにおいてＣｙ、Ｇ及びＢの各粒子と反対極性に帯電し、かつ、補色関係にある粒子がそれぞれ裏面電極Ｘ４側へ引き寄せられる。その結果、各セル＃１、＃２及び＃３において、白粒子５Ｃは、相対的にもう１つの裏面電極Ｘ３近傍に偏在させることができる。
【０１１９】
したがって、セル＃１は、Ｃｙ粒子によるシアンを表示し、セル＃２及び＃３は、当該Ｃｙ粒子と補色関係にあるＲ粒子とは異なる２色のＧ粒子及びＢ粒子による混色表示（シアン表示と等価）となり、３つのセル＃１、＃２及び＃３全体でシアンが表示される。
【０１２０】
なお、セル＃ｉを色粒子５Ａ及び５Ｂの一方による表示状態に制御する場合、色粒子５Ａ及び５Ｂの他方と白粒子５Ｃとを裏面電極Ｘ３及びＸ４側へ偏在させることができれば足りるので、グランド状態に制御する裏面電極は各セル＃ｉにおいてＸ３及びＸ４のいずれであってもよい。
【０１２１】
（２．２．３）第２の色物質が第１の色物質と補色関係にある着色溶媒（補色溶媒）である場合
【０１２２】
次に、セル＃ｉに含まれる第１の色物質５Ａの一例としての色粒子が赤、緑及び青（ＲＧＢ）の３色のいずれか１色の色粒子であり、同じセル＃ｉに含まれる第２の色物質５Ｂの一例がＲＧＢの補色であるシアン、マゼンタ及びイエロー（ＣＹＭ）のうち第１の色粒子５Ａの色とは異なる１色の溶媒である場合の電極構造及び電極極性制御の一例について説明する。
【０１２３】
なお、各セル＃ｉにおける色粒子５Ａは、いずれも非限定的な一例として正負同じ極性に帯電しているものと仮定する。また、セル＃ｉのそれぞれに、第３の色物質の一例としての白（Ｗ）粒子５Ｃをさらに含めることで、フルカラー表示が可能となる。個々の白粒子５Ｃは、第１の色粒子５Ａの帯電極性と反対の極性を有し、かつ、第１の色粒子５Ａの１つあたりの帯電量よりも小さい帯電量を有するように設定しておくことができる。当該設定により、後述するように、白以外の表示色に関して、白粒子５Ｃをセル＃ｉの表面電極と裏面電極との間の中間的な領域に分散して浮遊させやすくすることができる。
【０１２４】
本例の場合、図１６〜図１９の模式的部分断面図に例示するように、１つのセル６につき、１つの表面電極７３（Ｘ１）と２つの裏面電極８１（Ｘ３）及び８２（Ｘ４）との計３つの電極を設ける。各電極７３、８１及び８２の極性を制御回路９１によって個別的に制御すると、視認側である表面電極Ｘ１側からＣＹＭいずれか１色の補色溶媒５Ｂ（以下、符号５Ｂは省略することがある。）の色が見えないように色粒子５Ａを表面電極Ｘ１側へ偏在させたり、逆に、視認側である表面電極Ｘ１側から補色溶媒５Ｂの色が見えるように色粒子５Ａを表面電極Ｘ１から遠ざけたりすることができる。なお、表面電極Ｘ１から遠ざけた色粒子５Ａは、視認側から見えないように白粒子５Ｃをセル＃ｉ内に分散させて隠蔽することができる。これにより、個々のセル＃ｉをＲＧＢ及びＣＭＹの６色のいずれか１色の表示状態に制御することできる。
【０１２５】
（白表示）
例えば、３つのセル＃１、＃２及び＃３で白を表示する場合、制御回路９１は、図１６に例示するように、３つのセル＃ｉそれぞれについて、裏面電極Ｘ３及びＸ４の極性を互いに正負反対極性に制御する一方、表面電極Ｘ１の極性をグランド状態に制御する。なお、各セル＃ｉの裏面電極Ｘ３及びＸ４のいずれを正又は負に制御するかは、異なるセル＃ｉで同じでもよいし異なっていてもよい。このような電極極性制御により、３つのセル＃ｉにおけるＲＧＢいずれかの色粒子５Ａはそれぞれ裏面電極Ｘ４（又はＸ３）側へ引き寄せられる。
【０１２６】
一方、個々の白粒子５Ｃは、ＲＧＢいずれかの色粒子５Ａと反対の極性で、かつ、当該色粒子５Ａの１つあたりの帯電量よりも小さい帯電量を有しているから、当該色粒子５Ａとの関係で相対的に、ＲＧＢいずれかの色粒子５Ａが引き寄せられた裏面電極Ｘ４（又はＸ３）、すなわち、白粒子５Ｃの帯電極性と同じ極性の裏面電極Ｘ４（又はＸ３）から遠ざかるように分散しやすくなる。したがって、各セル＃ｉにおいて、視認側である表面電極Ｘ１側に白粒子５Ｃが偏在し、ＣＭＹの各補色溶媒５Ｂがそれぞれ視認側から白粒子５Ｃによって隠蔽される。このようにして、各セル＃ｉを白粒子５Ｃによる白表示状態にすることができる。
【０１２７】
（赤表示）
３つのセル＃１、＃２及び＃３で赤を表示する場合、制御回路９１は、図１７に例示するように、セル＃１について、表面電極Ｘ１の極性をＲ粒子の帯電極性とは反対極性に制御するとともに、一方の裏面電極Ｘ３（又はＸ４）の極性をグランド状態、他方の裏面電極Ｘ４（又はＸ３）の極性を表面電極Ｘ１の極性とは反対極性に制御する。
【０１２８】
また、セル＃２について、制御回路９１は、例示的に、一方の裏面電極Ｘ３（又はＸ４）の極性をグランド状態、他方の裏面電極Ｘ４（又はＸ３）の極性をＧ粒子の帯電極性と反対極性にそれぞれ制御するとともに、表面電極Ｘ１の極性を裏面電極Ｘ４（又はＸ３）の極性と反対極性に制御する。
【０１２９】
また、セル＃３について、制御回路９１は、例示的に、一方の裏面電極Ｘ３（又はＸ４）の極性をグランド状態、他方の裏面電極Ｘ３（又はＸ４）の極性をＢ粒子の帯電極性と反対極性にそれぞれ制御するとともに、表面電極Ｘ１の極性を裏面電極Ｘ４（又はＸ３）の極性と反対極性に制御する。
【０１３０】
以上の極性制御により、セル＃１では、正帯電のＲ粒子が反対極性の表面電極Ｘ１側へ引き寄せられる一方、白粒子５Ｃは、Ｒ粒子が偏在する領域よりも表面電極Ｘ１から離れた領域であって、互いに反対極性の表面電極Ｘ１及び裏面電極Ｘ４（又はＸ３）から受ける電界による引力及び反発力がバランスする領域に分散して留まりやすくなる。
【０１３１】
セル＃２及び＃３では、正帯電のＧ粒子及びＢ粒子がそれぞれ反対極性の裏面電極Ｘ４（又はＸ３）側へ引き寄せられる。一方、白粒子５Ｃは、セル＃２及び＃３において、ＲＧＢいずれか１色の色粒子５Ａが偏在する領域よりも裏面電極Ｘ４（又はＸ３）から離れた領域であって、互いに反対極性の表面電極Ｘ１及び裏面電極Ｘ３（又はＸ４）から受ける電界による引力及び反発力がバランスする領域に分散して留まりやすくなる。したがって、セル＃２及び＃３の視認側からはそれぞれＭａ溶媒及びＹｅ溶媒が見える状態となる。このとき、Ｇ粒子による色及びＢ粒子による色は、それぞれ、セル＃２及びセル＃３に分散した白粒子５Ｃの光の反射により見えない状態となる。
【０１３２】
したがって、セル＃１は、Ｒ粒子による赤を表示し、セル＃２及び＃３は、当該Ｒ粒子と補色関係にあるＣｙとは異なる２色のＭａ溶媒及びＹｅ溶媒による混色表示（赤表示と等価）となり、３つのセル＃１、＃２及び＃３全体で赤が表示される。
【０１３３】
（シアン表示）
３つのセル＃１、＃２及び＃３でシアンを表示する場合、制御回路９１は、図１８に例示するように、セル＃１について、一方の裏面電極Ｘ３（又はＸ４）の極性をグランド状態、他方の裏面電極Ｘ４（又はＸ３）の極性をＲ粒子の帯電極性と反対極性にそれぞれ制御するとともに、表面電極Ｘ１の極性を裏面電極Ｘ４（又はＸ３）の極性と反対極性に制御する。
【０１３４】
また、セル＃２について、制御回路９１は、表面電極Ｘ１の極性をＧ粒子の帯電極性と反対極性に制御するとともに、一方の裏面電極Ｘ３（又はＸ４）の極性をグランド状態、他方の裏面電極Ｘ４（又はＸ３）の極性を表面電極Ｘ１の極性と反対極性にそれぞれ制御する。
【０１３５】
また、セル＃３について、制御回路９１は、表面電極Ｘ１の極性をＢ粒子の帯電極性と反対極性に制御するとともに、一方の裏面電極Ｘ３（又はＸ４）の極性をグランド状態、他方の裏面電極Ｘ４（又はＸ３）の極性を表面電極Ｘ１の極性と反対極性にそれぞれ制御する。
【０１３６】
以上の極性制御により、セル＃１では、正帯電のＲ粒子が反対極性の裏面電極Ｘ４（又はＸ３）側へ引き寄せられる一方、白粒子５Ｃは、Ｒ粒子が偏在する領域よりも裏面電極Ｘ４（又はＸ３）から離れた領域であって、互いに反対極性の表面電極Ｘ１及び裏面電極Ｘ４（又はＸ３）から受ける電界による引力及び反発力がバランスする領域に分散して留まりやすくなる。したがって、セル＃１の視認側からはＣｙ溶媒が見える状態となる。このとき、Ｒ粒子による色は、セル＃１に分散した白粒子５Ｃの光の反射により見えない状態となる。
【０１３７】
セル＃２及び＃３では、正帯電のＧ粒子及びＢ粒子がそれぞれ反対極性の表面電極Ｘ１側へ引き寄せられる。一方、セル＃２及び＃３における白粒子５Ｃは、Ｇ粒子又はＢ粒子が偏在する領域よりも表面電極Ｘ１から離れた領域であって、互いに反対極性の表面電極Ｘ１及び裏面電極Ｘ３（又はＸ４）から受ける電界による引力及び反発力がバランスする領域に分散して留まりやすくなる。
【０１３８】
したがって、セル＃１は、Ｃｙ溶媒によるシアンを表示し、セル＃２及び＃３は、Ｃｙと補色関係にあるＲとは異なる２色のＧ粒子及びＢ粒子による混色表示（シアン表示と等価）となり、３つのセル＃１、＃２及び＃３全体でシアンが表示される。
【０１３９】
（黒表示）
３つのセル＃１、＃２及び＃３で黒を表示する場合、図１９に例示するように、セル＃１はＲ粒子とＣｙ溶媒の双方、セル＃２はＧ粒子とＭａ溶媒の双方、セル＃３はＢ粒子とＹｅ溶媒の双方がそれぞれ視認側（表面電極Ｘ１側）から見えるように、表面電極Ｘ１、裏面電極Ｘ３及びＸ４の極性を制御回路９１によって制御する。
【０１４０】
この場合の制御方法としては例示的に２つ挙げられる。
（ａ）第１の方法は、制御回路９１によって、セル＃１〜＃３それぞれの表面電極Ｘ１をＲＧＢいずれかの色粒子５Ａの帯電極性とは反対極性に制御に制御するとともに、一方の裏面電極Ｘ３（又はＸ４）をグランド状態、他方の裏面電極Ｘ４（又はＸ３）を表面電極Ｘ１と反対極性に制御する。
【０１４１】
ここで、制御回路９１は、表面電極Ｘ１及び裏面電極Ｘ４（又はＸ３）に電圧を印加し始めてから補色溶媒５Ｂの色が視認側から見えなくなる（例えば、表面電極Ｘ１側のセル＃ｉの内壁面がＲＧＢのいずれかの色粒子５Ａで覆い尽くされる）までの時間よりも短い時間に限って表面電極Ｘ１及び裏面電極Ｘ４（又はＸ３）に対する電圧印加を継続する。別言すると、制御回路９１は、当該時間が経過すると電圧印加を停止する。なお、電圧印加開始から補色溶媒５Ｂの色が視認側から見えなくなる（例えば、色粒子５Ａで視認側がすべて覆われる）までの時間は、実験値あるいはＲＧＢの色粒子５Ａの電気泳動速度に基づく理論値として求めることができる。当該実験値あるいは理論値は、制御回路９１のメモリ等に記憶しておくことができる。
【０１４２】
このように電圧印加時間を制限することで、図１９に例示するように、セル＃１においてはＲ粒子、セル＃２においてはＧ粒子、セル＃３においてはＢ粒子が、それぞれ視認側である表面電極Ｘ１側に引き寄せられ、いずれも視認側を覆い尽くさない程度に分散して配置される。一方、各セル＃１〜＃３において、白粒子５Ｃは、ＲＧＢいずれか１色の色粒子が偏在する領域よりも表面電極Ｘ１から離れた領域であって、互いに反対極性の表面電極Ｘ１及び裏面電極Ｘ４（又はＸ３）から受ける電界による引力及び反発力がバランスする領域に分散して留まり易くなる。
【０１４３】
したがって、視認側から見て、セル＃１はＲ粒子による赤とＣｙ溶媒によるシアンとの混色表示、セル＃２はＧ粒子による緑とＭａ溶媒によるマゼンタとの混色表示、セル＃３はＢ粒子による青とＹｅ溶媒によるイエローとの混色表示となり、３つのセル＃１〜＃３総合でＲＧＢ及びＣＭＹの６色の混色による黒を表示できる。
【０１４４】
（ｂ）第２の方法は、第１の方法のように電圧印加時間を制限する代わりに、ＲＧＢの色粒子５Ａで補色溶媒５Ｂが視認側から見えないように視認側をいったん覆い尽くした後、一時的に表面電極Ｘ１を反対極性に制御する。例えば、制御回路９１は、セル＃１〜＃３それぞれの表面電極Ｘ１をＲＧＢいずれかの色粒子の帯電極性とは反対極性に制御に制御するとともに、一方の裏面電極Ｘ３（又はＸ４）をグランド状態、他方の裏面電極Ｘ４（又はＸ３）を表面電極Ｘ１と反対極性に制御する。
【０１４５】
当該制御により、各セル＃１〜＃３の視認側から補色溶媒５Ｂが見えなくなるように当該視認側がＲＧＢいずれかの色粒子５Ａで覆い尽くされた後、制御回路９１は、表面電極Ｘ１を、短時間（例えば、２０ｍｓ程度）、反対極性に制御する。すると、視認側を覆い尽くしていた色粒子５Ａが表面電極Ｘ１から離れる方向に泳動し、部分的に補色溶媒５Ｂが視認側から見える状態となる。したがって、視認側から見て、セル＃１はＲ粒子による赤とＣｙ溶媒によるシアンとの混色表示、セル＃２はＧ粒子による緑とＭａ溶媒によるマゼンタとの混色表示、セル＃３はＢ粒子による青とＹｅ溶媒によるイエローとの混色表示となり、３つのセル＃１〜＃３総合でＲＧＢ及びＣＹＭの６色の混色による黒を表示できる。
【０１４６】
〔３〕その他
上述した電気泳動表示装置１は、各種電子機器に備えることができる。電気泳動表示装置１を備える電子機器の一例としては、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等が挙げられる。
【符号の説明】
【０１４７】
１…電気泳動表示装置、２…電気泳動表示体、３，４…基板、５…分散液、５Ａ〜５Ｃ…（電気泳動）粒子、６…セル、９…回路基板、３０…隔壁、３１…凹部、７０…電極部、７１（Ｘ１），７２（Ｘ２），７３（Ｘ１）…電極（表面電極）、８０…電極部、８１（Ｘ３），８２（Ｘ４），８３（Ｘ３）…（裏面電極）、９１…制御回路
【図１】
0005471497.tif 000007
【図２】
0005471497.tif 000008
【図３】
0005471497.tif 000009
【図４】
0005471497.tif 000010
【図５】
0005471497.tif 000011
【図６】
0005471497.tif 000012
【図７】
0005471497.tif 000013
【図８】
0005471497.tif 000014
【図９】
0005471497.tif 000015
【図１０】
0005471497.tif 000016
【図１１】
0005471497.tif 000017
【図１２】
0005471497.tif 000018
【図１３】
0005471497.tif 000019
【図１４】
0005471497.tif 000020
【図１５】
0005471497.tif 000021
【図１６】
0005471497.tif 000022
【図１７】
0005471497.tif 000023
【図１８】
0005471497.tif 000024
【図１９】
0005471497.tif 000025